(57)【要約】      （修正有）【課題】通信のための配線にかかるコストおよび手間が軽減できる表示装置を提供する。【解決手段】壁面３０に設置される表示装置１であって、壁面３０に沿って略水平方向に延びるレール２０と、レール２０上を回転することにより、レールに沿って往復移動が可能な第一回転部１１ａと、第一回転部１１ａの回転力を受けて回転する第二回転部１１ｂと、を有する第一ローラ１１と、回転駆動可能な第一モータと、巻掛伝動により、第一モータの動力を第一ローラ１１の第二回転部１１ｂに伝達するループ状の第一ワイヤ４と、（ｉ）第一モータを内部に収容しており、（ｉｉ）第一ワイヤ４によりレール２０の下方に吊されており、（ｉｉｉ）壁面３０側とは反対側に画像を表示する表示部３を有する筐体２と、を備える。【選択図】図２
2015226289.tif 000002
【特許請求の範囲】
【請求項１】
壁面に設置される表示装置であって、
前記壁面に沿って略水平方向に延びるレールと、
前記レール上を回転することにより、前記レールに沿って往復移動が可能な第一回転部と、前記第一回転部の回転力を受けて回転する第二回転部と、を有する第一ローラと、
回転駆動可能な第一モータと、
巻掛伝動により、前記第一モータの動力を前記第一ローラの前記第二回転部に伝達するループ状の第一ワイヤと、
（ｉ）前記第一モータを内部に収容しており、（ｉｉ）前記第一ワイヤにより前記レールの下方に吊されており、（ｉｉｉ）前記壁面側とは反対側に画像を表示する表示部を有する筐体と、を備える
表示装置。
【請求項２】
さらに、
前記筐体の内部に収納されており、前記表示部の表示面に平行な平面に沿って前記筐体の内部を移動することで、前記第一ワイヤのループ形状を変形させる第一移動ローラを備える
請求項１に記載の表示装置。
【請求項３】
さらに、
前記第一ローラを回転自在に支持し、前記第一ローラとともに前記レール上を移動する支持部材と、
前記支持部材および前記筐体を接続する第二ワイヤと、
前記支持部材および前記筐体の間における前記第二ワイヤの長さを調整する調整部と、を備え、
前記筐体には、前記第一ワイヤが貫通している第一貫通孔と、前記第一貫通孔よりも前記筐体の下部に設けられ、前記第二ワイヤが貫通している第二貫通孔とが形成されている
請求項１または２に記載の表示装置。
【請求項４】
前記レールは、前記第一ローラが往復移動するための第一レールと、前記第一レールと平行に延びている第二レールとを有し、
前記表示装置は、さらに、
前記支持部材により回転自在に支持され、かつ、前記第二レール上を回転することにより、前記第二レールに沿って往復移動が可能な第三回転部と、前記第三回転部の回転力を受けて回転する第四回転部と、を有する第二ローラと、を備え、
前記調整部は、前記筐体の内部に収納されており、前記表示部の表示面に平行な平面に沿って前記筐体の内部を移動する第二移動ローラであり、
前記第二ローラは、前記支持部材が前記第一ローラの回転により往復移動することにより、前記第三回転部が前記第二レール上を回転することで、回転し、
前記第二ワイヤは、前記第二ローラが前記第二レール上を回転した動力を、前記第二ローラの前記第四回転部から前記第二移動ローラへ、巻掛伝動により伝達するループ状のワイヤであり、
前記第二移動ローラは、前記平面に沿って移動することで前記第二ワイヤのループ形状を変形させる
請求項３に記載の表示装置。
【請求項５】
さらに、
交流電力を直流電力に変換する電力変換部と、
前記表示部を駆動する制御部と、を備え、
前記第一レールと、前記第二レールと、前記第一ローラの少なくとも前記第一レールと接触する部分と、前記第二ローラの少なくとも前記第一レールと接触する部分と、前記第一ワイヤと、前記第二ワイヤとは、電気伝導性を有する材料からなり、
前記第一レールおよび前記第二レールの一方は、前記電力変換部の正極側と電気的に接続され、
前記第一レールおよび前記第二レールの他方は、前記電力変換部の負極側と電気的に接続され、
前記制御部は、前記第一レール、前記第一ローラおよび前記第一ワイヤと、前記第二レール、前記第二ローラおよび前記第二ワイヤとを介して供給される前記電力変換部により変換された前記直流電力により、前記表示部を駆動する
請求項４に記載の表示装置。
【請求項６】
さらに、
前記筐体とは別体であり、無線通信により映像情報を送信する送信部を備え、
前記表示部は、前記送信部から送信された前記映像情報を前記無線通信で受信することにより、前記映像情報を再生する
請求項１から５のいずれか１項に記載の表示装置。
【発明の詳細な説明】
【技術分野】
【０００１】
本発明は、壁面に設置される薄型の表示装置に関する。
【背景技術】
【０００２】
従来、壁面に設置される薄型の表示装置が知られている。しかしながら、表示装置は、壁面に対して金物で固定することになるため、一度壁面に表示装置を固定してしまうと、表示装置を固定した位置から動かすことが困難であった。したがって、特許文献１の技術では、表示装置の外部にモータを設けて、ガイドに沿ってモータの駆動力により表示装置を移動させることにより、壁面に設置された薄型の表示装置であっても、移動が可能な構成としている。
【先行技術文献】
【特許文献】
【０００３】
【特許文献１】特表２００６−５０９４１９号公報
【発明の概要】
【発明が解決しようとする課題】
【０００４】
しかしながら、特許文献１の技術では、表示装置の外部に表示装置を移動させる駆動源としてのモータを設置しているため、例えば表示装置のリモコンで当該モータの制御指令を送信しようとすれば、表示装置とリモコンとの間を通信線で接続する必要がある。このように、通信線が必要となるため、余分な配線を行う必要があり、配線にかかるコストおよび配線を行うための手間がかかる。
【０００５】
そこで、本発明は、このような状況に鑑みてなされたものであり、通信のための配線にかかるコストおよび手間が軽減できる表示装置を提供することを目的とする。
【課題を解決するための手段】
【０００６】
上記目的を達成するために、本発明の一態様に係る表示装置は、壁面に設置される表示装置であって、前記壁面に沿って略水平方向に延びるレールと、前記レール上を回転することにより、前記レールに沿って往復移動が可能な第一回転部と、前記第一回転部の回転力を受けて回転する第二回転部と、を有する第一ローラと、回転駆動可能な第一モータと、巻掛伝動により、前記第一モータの動力を前記第一ローラの前記第二回転部に伝達するループ状の第一ワイヤと、（ｉ）前記第一モータを内部に収容しており、（ｉｉ）前記第一ワイヤにより前記レールの下方に吊されており、（ｉｉｉ）前記壁面側とは反対側に画像を表示する表示部を有する筐体と、を備える。
【０００７】
これによれば、筐体の内部に配置された第一モータを駆動させることにより、第一ワイヤを介して、巻掛駆動により第一ローラを回転させることができる。このように、第一ローラが回転するため、第一ローラの第一回転部はレール上を回転することにより移動できる。つまり、筐体の内部の第一モータを駆動させることで、筐体をレールに沿って水平方向に移動させることができる。このため、例えば筐体で受信した制御指令を第一モータに伝える配線は、筐体の内部で接続されていればよい。つまり、移動するような筐体を有する構成の表示装置であっても、制御指令を第一モータに伝えるための配線を筐体の外部に設ける必要がないため、配線にかかるコストまたは手間を軽減することができる。また、筐体の外部に配線を設ける必要がないため、配線による筐体の移動の制限を排除できる。
【０００８】
例えば、さらに、前記筐体の内部に収納されており、前記表示部の表示面に平行な平面に沿って前記筐体の内部を移動することで、前記第一ワイヤのループ形状を変形させる第一移動ローラを備えても良い。
【０００９】
これによれば、第一移動ローラが第一ワイヤのループ形状を変形させることができるため、筐体とレールとの間における第一ワイヤの長さを変化させることができる。つまり、第一移動ローラを移動させることにより、筐体を上下方向に移動させることができる。
【００１０】
また、さらに、前記第一ローラを回転自在に支持し、前記第一ローラとともに前記レール上を移動する支持部材と、前記支持部材および前記筐体を接続する第二ワイヤと、前記支持部材および前記筐体の間における前記第二ワイヤの長さを調整する調整部と、を備え、前記筐体には、前記第一ワイヤが貫通している第一貫通孔と、前記第一貫通孔よりも前記筐体の下部に設けられ、前記第二ワイヤが貫通している第二貫通孔とが形成されていても良い。
【００１１】
これによれば、第二移動ローラを移動させることにより、筐体の下部を筐体の上部とは独立して上下方向に移動させることができる。つまり、第一ワイヤおよび第二ワイヤの筐体からレールまでの間における長さをそれぞれ調整することにより、筐体をチルトさせることができる。
【００１２】
また、前記レールは、前記第一ローラが往復移動するための第一レールと、前記第一レールと平行に延びている第二レールとを有し、前記表示装置は、さらに、前記支持部材により回転自在に支持され、かつ、前記第二レール上を回転することにより、前記第二レールに沿って往復移動が可能な第三回転部と、前記第三回転部の回転力を受けて回転する第四回転部と、を有する第二ローラと、を備え、前記調整部は、前記筐体の内部に収納されており、前記表示部の表示面に平行な平面に沿って前記筐体の内部を移動する第二移動ローラであり、前記第二ローラは、前記支持部材が前記第一ローラの回転により往復移動することにより、前記第三回転部が前記第二レール上を回転することで、回転し、前記第二ワイヤは、前記第二ローラが前記第二レール上を回転した動力を、前記第二ローラの前記第四回転部から前記第二移動ローラへ、巻掛伝動により伝達するループ状のワイヤであり、前記第二移動ローラは、前記平面に沿って移動することで前記第二ワイヤのループ形状を変形させても良い。
【００１３】
また、さらに、交流電力を直流電力に変換する電力変換部と、前記表示部を駆動する制御部と、を備え、前記第一レールと、前記第二レールと、前記第一ローラの少なくとも前記第一レールと接触する部分と、前記第二ローラの少なくとも前記第一レールと接触する部分と、前記第一ワイヤと、前記第二ワイヤとは、電気伝導性を有する材料からなり、前記第一レールおよび前記第二レールの一方は、前記電力変換部の正極側と電気的に接続され、前記第一レールおよび前記第二レールの他方は、前記電力変換部の負極側と電気的に接続され、前記制御部は、前記第一レール、前記第一ローラおよび前記第一ワイヤと、前記第二レール、前記第二ローラおよび前記第二ワイヤとを介して供給される前記電力変換部により変換された前記直流電力により、前記表示部を駆動しても良い。
【００１４】
これによれば、第一レール、第一ローラおよび第一ワイヤと、第二レール、第二ローラおよび第二ワイヤとを介して供給される直流電力により、表示部を駆動したり、第一モータ、第一移動ローラおよび第二移動ローラを駆動したりすることができる。このため、電力供給のための配線を別途筐体に引き込む必要がない。このように、移動するような筐体を有する構成の表示装置であっても、電力供給のための配線を筐体の外部の電源から引き込む必要がないため、配線にかかるコストまたは手間を軽減することができる。また、筐体の外部に配線を設ける必要がないため、配線による筐体の移動の制限を排除できる。
【００１５】
また、さらに、前記筐体とは別体であり、無線通信により映像情報を送信する送信部を備え、前記表示部は、前記送信部から送信された前記映像情報を前記無線通信で受信することにより、前記映像情報を再生しても良い。
【００１６】
これによれば、送信部により無線通信で送信された映像情報を表示部３が再生する。このため、映像情報を受け取るための配線を筐体に引き込む必要がないため、配線にかかるコストまたは手間をさらに軽減することができる。また、筐体の外部に映像情報を通信するための配線を設ける必要がないため、配線による筐体の移動の制限を排除できる。
【発明の効果】
【００１７】
本発明によると、通信のための配線にかかるコストおよび手間が軽減できる。
【図面の簡単な説明】
【００１８】
【図１】本実施の形態１に係る表示装置１の外観を示す斜視図である。
【図２】表示装置のレールとローラとワイヤとの関係を示す図である。
【図３】表示装置の筐体を透視した正面図であり、筐体の内部、および、筐体の水平方向の移動について説明するための図である。
【図４】表示装置の筐体を透視した正面図であり、表示装置の筐体の内部、および、筐体の上下方向の移動について説明するための図である。
【図５】移動式ローラの構成について説明するための図である。
【図６】筐体の表示部の表示面が壁面に平行な面である状態のときの側面図である。
【図７】筐体の表示部の表示面が壁面に対して下向きに傾いている状態のときの側面図である。
【図８】本実施の形態１の変形例１に係る表示装置に係る構成を示す図である。
【図９】本実施の形態１の変形例２に係る表示装置に係る構成を示す図である。
【図１０】本実施の形態２に係る表示装置のレールとローラとワイヤとの関係を示す図である。
【図１１】表示装置の筐体を透視した正面図であり、筐体の内部について説明するための図である。
【発明を実施するための形態】
【００１９】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２０】
（実施の形態１）
表示装置１の構成について、説明する。
【００２１】
図１は、本実施の形態１に係る表示装置の外観を示す斜視図である。図２は、表示装置のレールとローラとワイヤとの関係を示す図である。具体的には、図２の（ａ）は、レール２０とローラ１１〜１３とを上方向から見た上面図である。図２の（ｂ）は、レール２０の内部を透視した状態の表示装置１の正面図である。図３は、表示装置の筐体を透視した正面図であり、筐体の内部、および、筐体の水平方向の移動について説明するための図である。図４は、表示装置の筐体を透視した正面図であり、表示装置の筐体の内部、および、筐体の上下方向の移動について説明するための図である。
【００２２】
図１および図２に示すように、表示装置１は、筐体２と、支持部材１０と、レール２０と、第一ワイヤ４と、第二ワイヤ５とを備える。表示装置１は、筐体２が第一ワイヤ４および第二ワイヤ５により壁面３０に設置されたレール２０の下方に吊されることにより、壁面３０に設置されている。
【００２３】
なお、これらの図では、Ｚ軸方向を上下方向として示しており、以下ではＺ軸方向を上下方向として説明する。また、レール２０が延びている方向をＸ軸方向とし、壁面３０と筐体２との並び方向をＹ軸方向として説明する。
【００２４】
図２および図３に示すように、筐体２は、第一ワイヤ４および第二ワイヤ５により吊されている。また、筐体２は、内部に第一モータ２６０を収容している。また、筐体２は、第一ワイヤ４および第二ワイヤ５により吊された状態で、壁面３０側とは反対側に画像を表示する表示部３を有する。第一モータ２６０は、第一ローラ１１の動力源であり、かつ、回転駆動可能である。また、筐体２は、第一モータ２６０の他にも、制御部５０と、固定ローラ２０１、２０２と、第一移動ローラ２１０、２２０、第二移動ローラ２３０、２４０、２５０とを収容している。制御部５０は、第一モータ２６０の駆動と、第一移動ローラ２１０、２２０および第二移動ローラ２３０、２４０、２５０の駆動との制御を、例えば、ユーザによる図示しないリモコンへの入力にしたがって行う。固定ローラ２０１、２０２は、第一ワイヤ４の筐体２からの出口を筐体２の中央側に寄せるためのローラである。第一移動ローラ２１０、２２０および第二移動ローラ２３０、２４０、２５０は、第一ワイヤ４および第二ワイヤ５のレール２０と筐体２との間における長さを調整する調整部として機能するローラである。また、筐体２には、第一ワイヤ４の筐体２からの出口としての第一貫通孔２９１、２９２（図１参照）と、第二ワイヤ５の筐体からの出口としての第二貫通孔２８１、２８２（図２参照）とが形成されている。なお、第一ワイヤ４の筐体２の出口付近におけるループの形状は、固定ローラ２０１、２０２によって、所定の位置となるように固定されているため、第一貫通孔２９１、２９２は、第一ワイヤ４の直径よりも少し大きい程度の直径であればよい。一方で、第二ワイヤ５の筐体２の出口付近におけるループの形状は、図３および図４に示すように一定ではないため、第二貫通孔２８１、２８２は、第二ワイヤ５の形状の変化を許容できるように、Ｘ軸方向に長いスリット形状である。
【００２５】
支持部材１０は、第一ローラ１１と、第二ローラ１２、１３とを回転自在に支持する。具体的には、支持部材１０は、第一ローラ１１と、第二ローラ１２、１３とを、この順にＸ軸方向に並べた状態で支持しており、かつ、第一ローラ１１と、第二ローラ１２、１３とをＹ軸方向に平行な回転軸を有するように支持している。
【００２６】
第一ローラ１１は、第一回転部１１ａおよび第二回転部１１ｂを有する。第一回転部１１ａは、レール２０上を回転することにより、レール２０に沿って往復移動が可能である。第二回転部１１ｂは、第一回転部１１ａの回転軸と同一の回転軸を有する。つまり、第二回転部１１ｂは、第一回転部１１ａが回転するとともに回転する。つまり、第一回転部１１ａは、第二回転部１１ｂの回転力を受けて回転する。
【００２７】
第二ローラ１２は、第三回転部１２ａと、第四回転部１２ｂとを有する。第三回転部１２ａは、支持部材１０により回転自在に支持され、かつ、第二レール２２上を回転することにより、第二レール２２に沿って往復移動が可能である。第四回転部１２ｂは、第三回転部１２ａの回転軸と同一の回転軸を有する。第二ローラ１２は、支持部材１０が第一ローラ１１の回転により往復移動することにより、第三回転部１２ａが第二レール２２上を回転することで回転する。つまり、第四回転部１２ｂは、第三回転部１２ａが回転するとともに回転する。つまり、第四回転部１２ｂは、第三回転部１２ａの回転力を受けて回転する。なお、第二ローラ１３についても、第二ローラ１２と同様のことが言え、符号１２を符号１３に読み替えればよいため、説明を省略する。
【００２８】
レール２０は、壁面３０に沿って、水平方向のＸ軸方向に延び、第一レール２１と、第二レール２２とを有する。第一レール２１は、第一ローラ１１が往復移動するためのレールである。第二レール２２は、第一レール２１と平行に延びており、かつ、第二ローラ１２、１３が往復移動するためのレールである。
【００２９】
第一ワイヤ４は、巻掛伝動により、第一モータ２６０の動力を第一ローラ１１の第二回転部１１ｂに伝達するループ状のワイヤである。つまり、第一ワイヤ４は、第一モータ２６０および第一ローラ１１に対して、引張力がはたらいている状態で巻掛けられている。
【００３０】
第二ワイヤ５は、第二ローラ１２、１３が第二レール２２上を回転した動力を、第二ローラ１２、１３の第四回転部１２ｂ、１３ｂから第二移動ローラ２３０、２４０、２５０へ、巻掛伝動により伝達するループ状のワイヤである。つまり、第二ワイヤ５は、第二ローラ１２、１３および第二移動ローラ２３０、２４０、２５０に対して、引張力がはたらいている状態で巻掛けられている。
【００３１】
次に、図３および図４を用いて、表示装置１の動作について説明する。
【００３２】
まず、表示装置１の筐体２を水平方向に移動させるときの動作について、図３を用いて説明する。
【００３３】
制御部５０は、例えば、ユーザのリモコン（図示せず）への入力により、左方向（図３の実線の白抜き矢印の向き）に筐体２を移動させることを示す制御指令を受信した場合、第一モータ２６０を実線矢印に示すように右回転させる。第一モータ２６０が右回転した場合、第一ワイヤ４は実線で示す矢印の向きに移動する。第一ワイヤ４が実線矢印の向きに移動することにより、第一ローラ１１は、左回転する。第一ローラ１１の第一回転部１１ａが左回転することで支持部材１０は、レール２０上を左に移動する。支持部材１０が左に移動すれば、第二ローラ１２、１３の第三回転部１２ａ、１３ａは、第二レール２２上を左回転する。これにより、筐体２は、レール２０を介して水平方向（Ｘ軸方向）左側に移動することになる。
【００３４】
一方で、制御部５０は、ユーザのリモコンへの入力により右方向（図３の破線の白抜き矢印の向き）に筐体２を移動させることを指示する制御指令を受信した場合、第一モータ２６０を破線矢印に示すように左回転させる。第一モータ２６０が左回転した場合、第一ワイヤ４は破線で示す矢印の向きに移動する。第一ワイヤ４が破線矢印の向きに移動することにより、第一ローラ１１は、右回転する。第一ローラ１１の第一回転部１１ａが右回転することで支持部材１０は、レール２０上を右に移動する。支持部材１０が右に移動すれば、第二ローラ１２、１３の第三回転部１２ａ、１３ａは、第二レール２２上を右回転する。これにより、筐体２は、レール２０を介して水平方向（Ｘ軸方向）右側に移動することになる。
【００３５】
次に、表示装置１の筐体２を上下方向に移動させるときの動作について、図４を用いて説明する。
【００３６】
ここで、第一移動ローラ２１０、２２０は、筐体２の内部に収容されており、表示部３の表示面に平行な平面に沿って筐体２の内部を移動することで、第一ワイヤ４のループ形状を変形させる。より具体的には、第一移動ローラ２１０、２２０は、第一ワイヤ４のループ形状の内側で接触しており、第一ワイヤ４の引張力がはたらいた状態で配置される。また、第二移動ローラ２３０、２４０、２５０は、筐体２の内部に収容されており、表示部３の表示面に平行な平面に沿って筐体２の内部を移動することで、第二ワイヤ５のループ形状を変形させる。より具体的には、第二移動ローラ２３０、２４０は、第二ワイヤ５のループ形状の内側で接触しており、第二ワイヤ５の引張力がはたらいた状態で配置される。また、第二移動ローラ２５０は、第二ワイヤ５のループ形状の外側で接触しており、第二ワイヤ５の引張力がはたらいた状態で配置される。
【００３７】
第一移動ローラ２１０、２２０および第二移動ローラ２３０、２４０、２５０の具体的な構成について図５を用いて説明する。図５は、移動式ローラの構成について説明するための図である。
【００３８】
第一移動ローラ２１０は、回転部２１１と、支持台２１１ａと、ボルト２１２と、モータ２１３とを有する。回転部２１１は、Ｙ軸方向に平行な回転軸を有するように支持台２１１ａに回転自在に支持されている。支持台２１１ａは、ボルト２１２の雄ねじとはまり合う、雌ねじが形成されている。また、支持台２１１ａは、筐体２に対してＸ軸方向にスライド可能に接しており、かつ、筐体２によりＸ軸方向を回転軸として回転しないように規制されている。ボルト２１２は、中心軸がＸ軸方向に沿って延びており、当該中心軸とモータ２１３の回転軸とが一致するようにモータ２１３に接続されている。モータ２１３は、ボルト２１２をその中心軸を回転軸として回転させることができるように、ボルト２１２に固定されている。また、モータ２１３は、筐体２の背面側の一部に固定されている。
【００３９】
上記のように構成された第一移動ローラ２１０は、モータ２１３によりボルト２１２を回転させれば、支持台２１１ａがボルト２１２に対してＸ軸方向に移動することになる。具体的には、モータ２１３を一方の回転方向に回転させれば支持台２１１ａをＸ軸方向の一方へ移動させることができ、モータ２１３を他方の回転方向に回転させれば支持台２１１ａをＸ軸方向の他方へ移動させることができる。つまり、第一移動ローラ２１０は、モータ２１３を回転させることにより回転部２１１をＸ軸方向に沿って移動させることができる。なお、図５では、第一移動ローラ２１０について説明したが、他の第一移動ローラ２２０および第二移動ローラ２３０、２４０についても同様の構成であるため説明を省略する。また、第二移動ローラ２５０は、ボルトがＺ軸方向に沿って延びており、モータがボルトを、Ｚ軸方向を回転軸として回転させる構成となっていることが第一移動ローラ２１０と異なるだけであってその他の構成については、第一移動ローラ２１０と同じであるため、説明を省略する。
【００４０】
制御部５０は、例えば、ユーザのリモコンへの入力により、上方向（図４の実線の白抜き矢印の向き）に筐体２を移動させることを示す制御指令を受信した場合、第一移動ローラ２１０、２２０および第二移動ローラ２３０、２４０を、表示部３の表示面に平行な平面に沿って移動させる。
【００４１】
制御部５０は、回転部２１１、２２１が互いに離れる方向（白抜き矢印に示す方向）に移動するように、モータを駆動することによりボルト２１２、２２２を回転させる。このように、互いに離れる方向に回転部２１１、２２１を移動させることで、第一ワイヤ４の形状を変形させる。これにより、第一ワイヤ４のループ形状のうち、Ｘ軸方向の長さが長くなるため、Ｚ軸方向の長さを短くできる。
【００４２】
また、これと同時に、制御部５０は、回転部２３１、２４１が互いに離れる方向（白抜き矢印に示す方向）に移動するように、モータを駆動することによりボルト２３２、２４２を回転させる。このように、互いに離れる方向に回転部２３１、２４１を移動させることで、第二ワイヤ５の形状を変形させる。これにより、第二ワイヤ５のループ形状のうち、Ｘ軸方向の長さが長くなるため、Ｚ軸方向の長さを短くできる。
【００４３】
つまり、第一ワイヤ４および第二ワイヤ５のレール２０と筐体２との間の長さを短くできるため、筐体２を上昇させることができる。
【００４４】
また、制御部５０は、例えば、ユーザのリモコンへの入力により、下方向（図４の破線の白抜き矢印の向き）に筐体２を移動させることを示す制御指令を受信した場合、第一移動ローラ２１０、２２０および第二移動ローラ２３０、２４０を、表示部３の表示面に平行な平面に沿って、上述した上昇させる場合とは反対向きに移動させる。これにより、第一ワイヤ４および第二ワイヤ５のレール２０と筐体２との間の長さを長くできるため、筐体２を下降させることができる。
【００４５】
次に、表示装置１の筐体２を壁面３０に平行な面から下向きにチルトさせるときの動作について、図６および図７を用いて説明する。
【００４６】
図６は、筐体の表示部の表示面が壁面に平行な面である状態のときの側面図である。図７は、筐体の表示部の表示面が壁面に対して下向きに傾いている状態のときの側面図である。
【００４７】
上述した、第一ワイヤ４および第二ワイヤ５のレール２０から筐体２までの間の長さを調整することで、図６で示すような筐体２の表示部３の表示面が壁面３０に平行な状態にできる。具体的には、筐体２の上部（具体的には、筐体２の第一貫通孔２９１、２９２）からレール２０までの間における第一ワイヤ４の長さと、筐体２の下部（具体的には、筐体２の第二貫通孔２８１、２８２）からレール２０までの間における第二ワイヤ５の長さから当該筐体２の下部から筐体２の上部までの間のＺ軸方向の長さを減じた長さとが等しくなるように、第一移動ローラ２１０、２２０および第二移動ローラ２３０、２４０を調整すれば、図６に示すような筐体２の表示部３の表示面が壁面３０に平行な状態とすることができる。
【００４８】
また、この状態から、筐体２の下部からレール２０までの間における第二ワイヤ５の長さが短くなるように、第二移動ローラ２３０、２４０を調整することにより、筐体２の下部を持ち上げることができるため、図７で示すような筐体２の表示部３の表示面が壁面３０に対して下向きに傾いている状態とする（つまり、チルトさせる）ことができる。なお、第一移動ローラ２１０、２２０および第二移動ローラ２３０、２４０を調整することにより、筐体２が上昇しきっている場合には、第二移動ローラ２５０の位置を上昇させる。これにより、第二ワイヤ５の形状をさらに変形させることができ、第二ワイヤ５の第二移動ローラ２３０、２４０間の長さを長くすることができる。つまり、レール２０と筐体２の下部との間における第二ワイヤ５の長さをさらに短くできるため、筐体２が上昇しきっている場合であっても筐体２をチルトさせることができる。
【００４９】
（特徴）
本実施の形態１に係る表示装置１によれば、筐体２の内部に配置された第一モータ２６０を駆動させることにより、第一ワイヤ４を介して、巻掛伝動により第一ローラ１１を回転させることができる。このように、第一ローラ１１が回転するため、第一ローラ１１の第一回転部１１ａは第一レール２１上を回転することにより移動することができる。つまり、筐体２の内部の第一モータ２６０を駆動させることで、筐体２をレール２０に沿って水平方向に移動させることができる。このため、例えば筐体２で受信した制御指令を第一モータ２６０に伝える配線は、筐体２の内部で接続されていればよい。つまり、移動するような筐体２を有する構成の表示装置１であっても、制御指令を第一モータ２６０に伝えるための配線を筐体２の外部に設ける必要がないため、配線にかかるコストまたは手間を軽減することができる。また、筐体２の外部に配線を設ける必要がないため、配線による筐体２の移動の制限を排除できる。
【００５０】
また、本実施の形態１に係る表示装置１によれば、第一移動ローラ２１０、２２０が第一ワイヤ４のループ形状を変形させることができるため、筐体２とレール２０との間における第一ワイヤ４の長さを変化させることができる。つまり、第一移動ローラ２１０、２２０を移動させることにより、筐体２を上下方向に移動させることができる。
【００５１】
また、同様に、第二移動ローラ２３０、２４０が第二ワイヤ５のループ形状を変形させることができるため、筐体２とレール２０との間における第二ワイヤ５の長さを変化させることができる。このため、第二移動ローラ２３０、２４０を移動させることにより、筐体２の下部を筐体２の上部とは独立して上下方向に移動させることができる。つまり、第一ワイヤ４および第二ワイヤ５の筐体２からレール２０までの間における長さをそれぞれ調整することにより、筐体２をチルトさせることができる。
【００５２】
（変形例１）
次に、本実施の形態１の変形例１に係る表示装置１ａについて、図８を用いて説明する。
【００５３】
図８は、本実施の形態１の変形例１に係る表示装置に係る構成を示す図である。
【００５４】
図８に示すように、表示装置１ａは、実施の形態１の表示装置１の構成にさらに、ＡＣ（Ａｌｔｅｒｎａｔｉｏｇ  Ｃｕｒｒｅｎｔ）電源３００とＤＣ（Ｄｉｒｅｃｔ  Ｃｕｒｒｅｎｔ）電源４００とを備える。ＤＣ電源４００は、ＡＣ電源３００による交流電力を直流電力に変換する電力変換部である。ＤＣ電源４００は、ＡＣ電源３００による交流電力の電圧値よりも半分以上低い電圧値の直流電力に変換する。
【００５５】
また、第一レール２１と、第二レール２２と、第一ローラ１１と、第二ローラ１２、１３と、第一ワイヤ４と、第二ワイヤ５とは、電気伝導性を有する材料からなる。具体的には、第一レール２１と、第二レール２２と、第一ローラ１１と、第二ローラ１２、１３と、第一ワイヤ４と、第二ワイヤ５とは金属製である。なお、第一ローラ１１および第二ローラ１２、１３は、少なくとも第一レール２１および第二レール２２と接触する部分が電気伝導性を有する材料から構成されていればよい。
【００５６】
また、第一レール２１は、ＤＣ電源４００の正極側と電気的に接続される。また、第二レール２２は、ＤＣ電源４００の負極側と電気的に接続される。また、筐体２は、第一レール２１、第一ローラ１１および第一ワイヤ４により引き込まれた直流電力の正極と、第二レール２２、第二ローラ１２、１３および第二ワイヤ５により引き込まれた直流電力の負極とが電気的に接続される制御部５００を有する。つまり、本実施の形態１の変形例１に係る表示装置１ａでは、実施の形態１に係る制御部５０の代わりに、第一ワイヤ４および第二ワイヤ５と電気的に接続されている制御部５００が採用されている。表示装置１ａでは、制御部５００は、第一レール２１、第一ローラ１１および第一ワイヤ４と、第二レール２２、第二ローラ１２、１３および第二ワイヤ５とを介して供給される直流電力により、表示部３を駆動したり、第一モータ２６０、第一移動ローラ２１０、２２０および第二移動ローラ２３０、２４０、２５０を駆動したりする。
【００５７】
本実施の形態１の変形例１に係る表示装置１ａによれば、第一レール２１、第一ローラ１１および第一ワイヤ４と、第二レール２２、第二ローラ１２、１３および第二ワイヤ５とを介して供給される直流電力により、表示部３を駆動したり、第一モータ２６０、第一移動ローラ２１０、２２０および第二移動ローラ２３０、２４０、２５０を駆動したりすることができる。このため、電力供給のための配線を別途筐体２に引き込む必要がない。このように、移動するような筐体２を有する構成の表示装置１ａであっても、電力供給のための配線を筐体２の外部の電源から引き込む必要がないため、配線にかかるコストまたは手間を軽減することができる。また、筐体２の外部に配線を設ける必要がないため、配線による筐体２の移動の制限を排除できる。また、ＤＣ電源４００により一端、ＡＣ電源３００による交流電力の電圧値よりも半分以上低い電圧値の直流電力に変換しているため、万が一レール２０やワイヤ４、５に触れたとしてもユーザに対する影響を少なくできる。
【００５８】
（変形例２）
次に、本実施の形態１の変形例２に係る表示装置１ｂについて、図９を用いて説明する。
【００５９】
図９は、本実施の形態１の変形例２に係る表示装置に係る構成を示す図である。
【００６０】
図９に示すように、表示装置１ｂは、実施の形態１の変形例１の表示装置１ａの構成にさらに、送信部６００を備える。送信部６００は、筐体２とは別体であり、無線通信により映像情報を送信する。筐体２には、送信部６００により無線通信で送信された映像情報を受信する受信部６０１がさらに設けられる。具体的には、送信部６００および受信部６０１の構成としては、ワイヤレスＨＤ（Ｗｉｒｅｌｅｓｓ  Ｈｉｇｈ  Ｄｅｆｉｎｉｔｉｏｎ）による無線通信が考えられる。表示部３は、受信部６０１により無線通信により受信された映像情報を再生する。
【００６１】
本実施の形態１の変形例２に係る表示装置１ｂによれば、送信部６００により無線通信で送信された映像情報を筐体２の内部に設けられた受信部６０１が受信し、当該映像情報を表示部３が再生する。このため、映像情報を受け取るための配線を筐体２に引き込む必要がないため、配線にかかるコストまたは手間をさらに軽減することができる。また、筐体２の外部に映像情報を通信するための配線を設ける必要がないため、配線による筐体２の移動の制限を排除できる。
【００６２】
（実施の形態２）
次に、本実施の形態２に係る表示装置１０１について、図１０および図１１を用いて説明する。
【００６３】
図１０は、本実施の形態２に係る表示装置のレールとローラとワイヤとの関係を示す図である。具体的には、図１０の（ａ）は、レール１２０と第一ローラ１１１、１１２とを上方向から見た上面図である。図１０の（ｂ）は、レール１２０の内部を透視した状態の表示装置１０１の正面図である。図１１は、表示装置の筐体を透視した正面図であり、筐体の内部について説明するための図である。
【００６４】
図１０および図１１に示すように、表示装置１０１は、筐体１０２と、支持部材１１０と、レール１２０と、第一ワイヤ１０４と、第二ワイヤ１０５とを備える。表示装置１０１は、筐体１０２が第一ワイヤ１０４および第二ワイヤ１０５により壁面３０に設置されたレール１２０の下方に吊されることにより、壁面３０に設置されている。表示装置１０１は、実施の形態１に係る表示装置１とは、第二ワイヤ１０５がループ状でない構成であることが異なっており、その他の構成は同じである。
【００６５】
図１０の（ａ）に示すように、支持部材１１０は、第一ワイヤ１０４により巻掛けられている第一ローラ１１１、１１２のみを回転自在に支持する。具体的には、支持部材１１０は、第一ローラ１１１、１１２をこの順にＸ軸方向に並べた状態で支持しており、かつ、第一ローラ１１１、１１２をＹ軸方向に平行な回転軸を有するように支持している。
【００６６】
第一ローラ１１１は、第一回転部１１１ａおよび第二回転部１１１ｂを有する。第一回転部１１１ａは、レール１２０上を回転することにより、レール１２０に沿って往復移動が可能である。第二回転部１１１ｂは、第一回転部１１１ａの回転軸と同一の回転軸を有する。つまり、第二回転部１１１ｂは、第一回転部１１１ａが回転するとともに回転する。つまり、第一回転部１１１ａは、第二回転部１１１ｂの回転力を受けて回転する。なお、第一ローラ１１２についても、第一ローラ１１１と同様のことが言え、符号１１１を符号１１２に読み替えればよいため、説明を省略する。
【００６７】
レール１２０は、壁面３０に沿って、水平方向のＸ軸方向に延びる。本実施の形態２のレール１２０は、実施の形態１のレール２０と異なり一列（一本）のみで構成される。レール１２０は、第一ローラ１１１、１１２が往復移動するためのレールである。
【００６８】
第一ワイヤ１０４は、巻掛伝動により、第一モータ２６０ａの動力を第一ローラ１１１、１１２の第二回転部１１ｂ、１２ｂに伝達するループ状のワイヤである。第一ワイヤ１０４には、実施の形態１の表示装置１と同様に、筐体１０２の内部において、第一モータ２６０，および、第一移動ローラ２１０、２２０に対して、引張力がはたらいている状態で巻掛けられている。つまり、第一ワイヤ１０４は、実施の形態１の表示装置１と同様に、第一移動ローラ２１０、２２０を移動させることにより、レール１２０および筐体１０２の上部の間における第一ワイヤ１０４の長さを調整することができる。
【００６９】
第二ワイヤ１０５は、筐体１０２の内部に設けられる第二モータ２７０に巻回されているワイヤであり、支持部材１１０と接続されている。つまり、第二モータ２７０が回転して第二ワイヤ１０５を巻き取ったり、繰り出したりすることにより、レール１２０および筐体１０２の下部（つまり、第二貫通孔２８０ａ）との間における第二ワイヤ１０５の長さを調整することができる。つまり、第二モータ２７０は、支持部材１１０および筐体２の間における第二ワイヤ１０５の長さを調整する調整部として機能する。
【００７０】
このように、第二ワイヤ１０５がループ状でない構成の表示装置１０１であっても、実施の形態１の表示装置１と同等に、表示装置１０１の筐体１０２を水平方向および上下方向に自在に移動させることができる。
【００７１】
（他の実施の形態）
以上、本発明の実施の形態に係る表示装置について説明したが、本発明は、この実施の形態に限定されるものではない。
【００７２】
例えば、第一ローラ１１は、第一回転部１１ａおよび第二回転部１１ｂが、同一軸を回転する一体化された部材であるが、これに限らずに、第一回転部の回転力が第二回転部に伝われば例えば、歯車やベルトなどで回転軸がそれぞれ異なる構成のものであってもよい。なお、このことは、第一ローラ１１だけでなく、第二ローラ１２、１３二も同様のことが言える。
【００７３】
また、例えば、第一ワイヤ４および第二ワイヤ５は、ワイヤでなくても可撓性を有する紐状の物体であればよく、例えばチェーンであってもよい。また、第一ワイヤおよび第二ワイヤには引張力がはたらく方向に凹部と凸部とが繰り返し並んで配置される形状を有していてもよく、この場合、第一ローラの第二回転部および第二ローラの第二回転部には、第一ワイヤおよび第二ワイヤに形成された凹凸形状とはまり合う形状の凹凸が形成されていてもよい。また、さらに、第一ローラの第一回転部および第二ローラの第一回転部と、第一レールおよび第二レールとの間にも互いにはまり合う形状の凹凸が形成されていてもよい。このように、第一ワイヤおよび第二ワイヤと第一ローラおよび第二ローラの第二回転部との間で互いにはまり合う形状の凹凸が形成されている形状とすることで、第一ワイヤおよび第二ワイヤと第一ローラおよび第二ローラの第二回転部との間が滑ることで、動力の伝達効率が低下することを防ぐことができる。また、第一ローラおよび第二ローラの第一回転部と第一レールおよび第二レールとの間で互いにはまり合う形状の凹凸が形成されている形状とすることで、第一ローラおよび第二ローラの第一回転部と第一レールおよび第二レールとの間が滑ることで、動力の伝達効率が低下することを防ぐことができる。
【００７４】
また、第一ワイヤおよび第二ワイヤと第一ローラおよび第二ローラの第二回転部との間における摩擦力が大きくなる表面加工が施されていてもよい。同様に、第一ローラおよび第二ローラの第一回転部と第一レールおよび第二レールとの間における摩擦力が大きくなる表面加工が施されていてもよい。
【００７５】
また、例えば、第二移動ローラ２５０は、筐体２をチルトさせるときのみに移動させると説明したが、これに限らずに、筐体２を上昇させるときに移動させてもよい。
【００７６】
また、例えば、第一移動ローラ２１０、２２０および第二移動ローラ２３０、２４０を、互いに離れる方向に移動させることで第一ワイヤ４のループ形状および第二ワイヤ５のループ形状を変化させており、これにより筐体２を上昇させているが、互いに離れる方向に移動させることで筐体２を上昇させることに限らない。例えば、第一移動ローラ２１０、２２０および第二移動ローラ２３０、２４０を第一ワイヤ４および第二ワイヤ５のループの外側に接して配置するような構成であれば互いに近づく方向に移動させることで、筐体を上昇させることになる。また、筐体２を下降させることについても、逆の動きをさせればよく上述と同様である。
【００７７】
さらに、上記実施の形態及び上記変形例をそれぞれ組み合わせるとしても良い。
【産業上の利用可能性】
【００７８】
本発明は、壁面に設置される薄型の表示装置であって、自在に移動させることのできる表示装置、特に薄型のテレビ等として有用である。
【符号の説明】
【００７９】
１、１ａ、１ｂ、１０１  表示装置
２、１０２  筐体
３  表示部
４、１０４  第一ワイヤ
５、１０５  第二ワイヤ
１０、１１０  支持部材
１１、１１１、１１２  第一ローラ
１１ａ、１１１ａ、１１２ａ  第一回転部
１１ｂ、１１１ｂ、１１２ｂ  第二回転部
１２、１３  第二ローラ
１２ａ、１３ａ  第三回転部
１２ｂ、１３ｂ  第四回転部
２０、１２０  レール
２１  第一レール
２２  第二レール
３０  壁面
５０  制御部
２０１、２０２  固定ローラ
２１０、２２０  第一移動ローラ
２１１、２２１  回転部
２１１ａ  支持台
２１２、２２２  ボルト
２１３  モータ
２３０、２４０、２５０  第二移動ローラ
２３１、２４１、２５１  回転部
２３２、２４２、２５２  ボルト
２６０、２６０ａ  第一モータ
２８０ａ、２８１、２８２  第二貫通孔
２９１、２９２  第一貫通孔
３００  ＡＣ電源
４００  ＤＣ電源
５００  制御部
６００  送信部
６０１  受信部
【図１】
2015226289.tif 000003
【図２】
2015226289.tif 000004
【図３】
2015226289.tif 000005
【図４】
2015226289.tif 000006
【図５】
2015226289.tif 000007
【図６】
2015226289.tif 000008
【図７】
2015226289.tif 000009
【図８】
2015226289.tif 000010
【図９】
2015226289.tif 000011
【図１０】
2015226289.tif 000012
【図１１】
2015226289.tif 000013